(57)【要約】【課題】  クレジットカードやキャッシュカードなど常に携帯する頻度の高いカード収納体は、カード収納時の前側は、カードより仕切り壁が若干低く、カード判別はしやすいが、後側の仕切り壁の高さはカード裏面の磁気部などを保護するためカード上部より高くなっているため、カード裏面と後側仕切り壁との隙間はなく、カードは硬いものもあり指先で強引にこの間にこじ入れて、もうひとつの指先で前側をあてて摘み出していたが、指先を強引にこじ入れるため摘み出しにくかった。【解決手段】  カード収納時のカード上部より後側仕切り壁上部が同一高さより上方にして、その後側仕切り壁の中央近辺におとし込み部を設け、このおとし込み上部がカード上部より下方にあり、さらにカード上部より前側仕切り壁上部が同一高さか、それより下方にあるカード収納部深さを形成して、カード後面に後側仕切り壁の厚さ分の隙間を形成することで指先が簡単に入りやすくなり、硬いカードでも楽に二本の指で摘み出せるようにしたカード収納体を提供する。【選択図】      図１
2006000671.tif 000002
【特許請求の範囲】
【請求項１】
複数のカード収納部を有し、ひとつ以上のカード収納部が、カード収納時のカード上部より後側仕切り壁上部が同一高より上方にあり、かつ後側仕切り壁おとし込み上部がカード上部より下方にあり、かつカード上部より前側仕切り壁上部が同一高より下方にあるカード収納深さを形成したことを特徴とするカード収納体。
【請求項２】
一枚の皮様体に前側及び後側仕切り壁上部と仕切り壁おとし込み上部を連結して切り込み部を複数有し、それぞれの仕切り壁の後側下部にカード収納部形成後壁を設けてなるカード収納部を形成していることを特徴とした請求項１に記載のカード収納体。
【発明の詳細な説明】
【技術分野】
【０００１】  この発明は、クレジットカード、キャッシュカード、その他各種のカードを収納するためのカード収納体に関するものである。
【背景技術】
【０００２】  カードはクレジットカード、キャッシュカード、プリペイドカードなど多額のお金や小銭を持たなくても支払いが容易にできたり、割引特典のあるような会員制カードが多く出てきており、個人での所有枚数も年々増加傾向にある。【０００３】  またこれらのカードは合成樹脂製のカードが多く、厚さもまちまちであり、外形寸法的には長手方向が約８５ｍｍ、短手方向が５４〜５７ｍｍ程度のものが多く、四隅を丸みを付けた四角いカードであり、カードを摘み出すときにひっかかりやすいような指先がかかるような突起や穴は開いていない。【０００４】  これらのカードを頻繁に使用するため携帯していることが多く、携帯カードケースや、カード収納体を有した財布に収納しているが、その材質は本皮革や合成皮革、または軟質合成樹脂等の皮様体であり、その形態はカードより浅くした前側仕切り壁があり、収納時にカードの高さと同じかそれより高い後部仕切り壁があり、側部と下部を縫製や接着剤や溶着で固定しカード収納体を形成しているものが多く、カードを取り出す際は親指先と親指以外の指先もしくは爪をカードと後側仕切り壁の隙間のない間に差し込み入れ、摘んで引き出すようにしている。
【発明の開示】
【発明が解決しようとする課題】
【０００５】  カード収納部の前側仕切り壁がカードの高さ寸法より浅くできているものが多いため、使用したいカードを探し出すにはわかりやすいが、収納されているカードの後側仕切り壁はカードの高さより高いものが多く、カード後面が後側仕切り壁と隙間なく収納されていて、この隙間がない部分にカードを摘み出すために、カードを指先や爪で引っ掛けて前側に動かしたり、指先や爪を強引にカードと後側仕切り壁の間にこじ入れて後側仕切り壁を押して摘み出していた。【０００６】  上記の摘み出し方はカードに突起部や穴など指先が引っ掛かる部分がないため、あくまでカードを挟んでいる力で摘み出しており、一般の人はしっかり摘めるのでさほど気にはしていないようであるが、指先の力が若干低下している高齢者や、指先をケガしている人、爪を少し伸ばしてネールアートをしている人にとってはなかなか摘み出しにくいという課題を有していた。
【課題を解決するための手段】
【０００７】  カード収納部の後側仕切り壁のほぼ中央に指が容易に入る幅を有するおとし込み部を設け、このおとし込み部の深さがカード収納時上部より下方まであるようにする。これだけでも解決手段となるが、前側面も指先が大きく接っしてわずかな挟む力でも摘み出すことができるように前側仕切り壁にも同様のおとし込み部を形成する。【０００８】  複数のカード収納部を形成する場合、後側仕切り壁を兼ねた前側仕切り壁で、最後部仕切り壁以外の皮様体の仕切り壁を収納部数使用する必要があり、この皮様体で本皮を使用すると材料費的に高価になることがあるが、一枚の皮様体に上記と同じ考えの前側後側兼用の仕切り壁上部が形成できるとともに、ほぼ中央部におとし込み部を連結したカード収納用の複数の切り込みを入れ、カード収納部の後側下部を安価な合成樹脂繊維等の生地を使い、縫製や接着することでも可能になる。
【発明の効果】
【０００９】  上記前者の構造にすることにより、カードがどこの収納部に入っていても、前側から必要なカードが判別できるとともに、おとし込み部で親指を広くカードに接触することができ、カード後方はカード上部より低い位置に仕切り壁の厚さ分の隙間がほぼ中央部にできることにより、容易に親指以外の指先がカード後方に入りカードが楽に摘み出せるようになる。またこの場合、指を逆にして親指を隙間からカード後方に入れ、他の指先をおとし込み部の開放部から直接カードに接触させて摘み出してもかまわなく、使用者の出しやすいスタイルで容易に摘み出せるという効果が得られる。【００１０】  上記の構造で一番上段だけ、中央のおとし込み部をなくすように考えると、一番後方の後側仕切り壁がカード収納体のベース生地で代行できることになり、一ヶ所だけカードが摘み出しにくくなるが仕切り壁が一枚削減でき、材料と工賃削減により原価的に安くすることも可能である。【００１１】  上記後者の一枚の皮様体に切り込みを入れ後側仕切り壁の上部以外の後側を合成樹脂繊維等の生地で形成した場合、カード収納を一番上段以外だけの一ヶ所に収納すると、後側にカードが収納されていないため収納したカード後面に後側仕切り壁厚さ分の隙間が形成されておらず従来の構造レベルになってしまう。やだし、この仕様でのカード収納は一番上段から収納するようにすれば、カード摘み出し時の仕切り壁分の隙間が確保でき前者と同じく容易にカードを摘み出せる効果が得られる。
【発明を実施するための最良の形態】
【００１２】  カード収納体を形成する材料としては本皮革、合成皮革、合成樹脂や天然繊維からなる生地、フェルト類、軟質合成樹脂シート等、何を使用しても良いが、携帯する可能性と使用頻度から豪華に見えて丈夫で長持ちする材質、そして仕切り壁として０．５〜１ｍｍ程度の厚さが要求されるため、材質的には皮革類が好ましい。ただし、価格面から考えれば、本皮革は高価であり、他の材質も使用しても機能上問題はない。【００１３】  カード収納部を形成する後側仕切り壁もしくは後側仕切り壁の後方にある収納体ベース生地の全体高さは、カード裏面の磁気情報などを傷付けないように収納時のカード上部より上方まであり、後側仕切り壁のほぼ中央部に、収納時のカード上部より低い位置までおとし込み部を設けてあり、カード収納時に収納体ベース生地とカードの間に後側仕切り壁の厚さ分の隙間が形成され指先が入りやすくなっている。また、カード収納部を形成する前側仕切り壁の全体高さはカード表面の一部が見えて何のカードかわかりやすいように、収納時のカード上部より下方にあり、ほぼ中央部に後側仕切り壁と同じ考えでのおとし込み部を設け、カードを二本の指先で摘み出す際、前側の指先の接する面を広くなるようにして、より摘みやすくしてある。【００１４】  上記は一番上段のカード収納部を形成している形態の説明であるが、複数のカード収納部として、上記の下段にあるカード収納部においては、最上段の前側仕切り壁がこの収納部の後側仕切り壁となり、同様に最上段の前側仕切り壁おとし込み部が後側仕切り壁おとし込み部となり、この段のカード収納時にカード上部よりこの後側仕切り壁おとし込み上部の方が下方になっているため上から二番目にカードを収納した際にこのカード後側中央付近に後側仕切り壁の厚さ分の隙間ができ、同様にカードが摘みやすく出せるものである。【００１５】  以下、下段になるにしたがって同じようにおとし込み部を有した前側仕切り壁を縫製等で形成していけば、どのカード収納部でもカード収納時の後方に仕切り壁厚さ分の隙間と、前側仕切り壁おとし込み部に指を広く接触できる面が得られ容易にカードが摘み出せるものである。【００１６】  また、カードの入れ方は横長方向でも良いし縦長方向でも、カードを収納する向きに合わせた収納深さを設定することで対応できるものである。【００１７】  また、摘みやすい構造であるカード後側の隙間と前側の開放面があれば、一枚の皮革に切り込みを入れ各側仕切り壁の上部さえ皮革分の厚さを形成できれば、カード収納内部接触面は安価で、かつカードの滑りやすい薄い繊維生地でもかまわないものである。【００１８】  また、カード収納という目的においては、カード収納専用ケースでも、財布に本発明のカード収納体を一体に設けても良い。またそれ以外にもハンドバッグの内側や、手帳の内側などへの展開も可能であり、目的、価格に対応できる材質、形態、他への一体化ができるため特に最良の形態と限定するものではなく、基本形態でカード収納体を形成すればニーズに合った仕様が最良の形態となるものである。
【実施例１】
【００１９】  図１はこの実施形態で、本皮革を使用した財布と一体になったカード収納体１の実施例で、一般的な二つ折り財布として紙幣収納部６が形成されており、この二つ折りになっている内側半分に複数のカード収納部２が設けられている。【００２０】  一番奥側であり上段のカード収納部２は、後側仕切り壁３と前側仕切り壁４で形成され、カード５収納時のカード上部５１より後側仕切り壁上部３１が同一高より上方にあり、後側仕切り壁３のほぼ中央に後側仕切り壁おとし込み部３２が形成されており、その後側仕切り壁おとし込み上部３３がカード５収納時のカード上部５１より下方にあるように、カード５収納深さが設定されている。また、前側においてはカード５収納時のカード上部５１より前側仕切り壁上部４１が同一高より下方になるように、前側仕切り壁４を後側仕切り壁３に縫製しカード５収納深さを形成している。またこの前側仕切り壁４には後側仕切り壁おとし込み部３２と同様の目的で前側仕切り壁おとし込み部４２が形成されている。【００２１】  この構造により、カード５の種類はカード上部５１と前側仕切り壁上部４１の開放部と、前側仕切り壁おとし込み部４２の開放部でかなりカード５表面が見えるため判別でき、前側仕切り壁おとし込み部４２の開放部に指先をあて、紙幣収納前側壁６１とカード５の裏面との間に後側仕切り壁３の厚さ分の隙間が後側仕切り壁おとし込み上部３３の深さまで開いているため、もう片方の指先が簡単に入り込み、カード５が指先で容易に摘み出せる。【００２２】  上から二段目のカード収納部２の後側仕切り壁３は一段目カード収納部２の前側仕切り壁４が代行することになり、二段目のカード収納部２の収納深さも一段目と同様に、カード５収納時のカード上部５１より後側仕切り壁上部３１が同一高より上方にあり、後側仕切り壁おとし込み上部３３がカード上部５１より下方にあるようにカード５収納深さが設定されており、カード収納時のカード上部５１より前側仕切り壁上部４１が同一高より下方になるように縫製してありカード５の収納深さを形成している。さらにこの前側仕切り壁４には後側仕切り壁おとし込み部３２と同様の目的で前側仕切り壁おとし込み部４２が形成されていて、各段ごと同じ形態にしてある。【００２３】  この構造によりどこのカード収納部２に一ヶ所でも全ヶ所でもカード５を収納しても、容易にカード５の判別と指先での摘み出しが容易になるものである。【００２４】  この場合一番上段の後側仕切り壁３を無しにして、換わりに紙幣収納前側壁６１を後側仕切り面に使用すると、後側仕切り壁３が一枚削減でき材料費や工賃が低減できる。ただし、このカード収納部２だけカード５後側の隙間がなくなるため指先で摘み出しにくくなるが、この収納部以外は容易に摘み出せることでカード５所有枚数が少ない人はそれでも十分な場合もある。つまりすべてのカード収納部を本発明の形態にしなくても使用者の要求機能と購入価格のバランスを調整できるものである。
【実施例２】
【００２５】  図２は表面一枚式カード収納体７であり、皮様体からなるカード収納一枚式前後仕切り壁９を後側仕切り壁上部９２１と後側仕切り壁おとし込み上部９２３を連結して、カード収納及び隙間兼用切込み部９１を複数形成しており、後側仕切り壁おとし込み部９２２の幅は下段になるほど広くなっていて、カード収納部形成後側壁１０を接着剤等で結合する際の面積を確保している。【００２６】  またカード収納一枚式前後仕切り壁９の外周上部には後側仕切り壁おとし込み部９２２が形成されていて一番上段のカード収納部２にカード５を収納した状態でカード上部５１より外周を兼用している後側仕切り壁上部９２１が同一高より上方にあり、後側仕切り壁９２のほぼ中央部に形成された後側仕切り壁おとし込み上面がカード上部５１より下方にあるようにカード収納部２の深さがポリエステル等滑りやすい合成樹脂からなる薄手生地であるカード収納部形成後側壁１０によって形成されている。この形成方法としては、上から一段目用のカード収納部形成後側壁１０と、上部は後側仕切り壁９２と接着剤で固定する寸法に合わせ、カード収納部２の底位置を縫製して形成してある。【００２７】  一段目のカード収納部２の前側仕切り壁９３が二段目のカード収納部２の後側仕切り壁９２を兼ねており、二段目の後側仕切り壁おとし込み上部９２３は二段目カード収納時のカード上部５１より同一高さかそれより下方にあり、この開放面が一段目に収納してあるカード５を取り出す際の前側指先押さえ面となり、カード５の後方はカード上部５１より低い位置に後側仕切り壁おとし込み上部９２３があるため、後側仕切り壁９２の厚さ分の隙間があり、指先を容易に入れることができ、指先で簡単に摘み出すことができるものである。【００２８】  二段目のカード収納部２、三段目のカード収納部２も上記と同じ形態で形成されており、そのカード収納一枚式前後仕切り壁９全体を２セット、外面体となる皮様体のベース生地８の二つ折り内側の左右各面に周囲を各々縫製して形成してある。【００２９】  この場合、皮様体の使用量は少なく、安価な合成繊維生地で見えない部分を構成できるため、安い価格で使用者に提供できるものである。【００３０】  ただし、この実施例２において、図３の右側のようにカード５を下段だけに収納すると、ひとつ上の段の後側仕切り壁おとし込み部９２２は切り込み状態のままで、指先が入りやすいような隙間ができないため、従来の摘み出しにくい形態と同様になってしまう。この実施例２においては、図３の左側のようにカード５を上段から下段に向かって順に収納することにより、後側仕切り壁おとし込み部９２２がひとつ上段のカード５とその下段のカード５の間に隙間が発生するため、指先で摘み出しやすくなるもので、収納する順番を守る必要性があるが、財布に付属して設けたり、ハンドバッグの内側や手帳の内側など、コンパクトに設置したい場所においては実施例１より厚くならず、ポケット収納時や、ハンドバッグ内部のスペースをわずかの厚さ分で済む利点があるものである。【００３１】  また、上記に示した実施例ではカード５を横長方向に収納する実施例であるが、カード収納部２の深さや収納幅を合わせれば縦長方向も同じように収納可���となり、本発明の形態であればデザイン的にもいろいろと組み合わせることが可能で、実施例で説明した構造だけでなく、カード収納機能形態を、デザイン、機能を考慮して単独体でも複合体でも対応でき、価格的にも低原価品から皮質の高価な高原価品まで対応できるものである。
【図面の簡単な説明】
【００３２】
【図１】  第１実施形態の財布と一体としたカード収納体の説明図である。
【図２】  第２実施形態の表面一枚式カード収納体の説明図である。
【図３】  第２実施形態のカード収納時の説明図である。
【符号の説明】
【００３３】  １      カード収納体
２      カード収納部
３      後側仕切り壁
３１    後側仕切り壁上部
３２    後側仕切り壁おとし込み部
３３    後側仕切り壁おとし込み上部
４      前側仕切り壁
４１    前側仕切り壁上部
４２    前側仕切り壁おとし込み部
４３    前側仕切り壁おとし込み上部
５      カード
５１    カード上部
６      紙幣収納部
６１    紙幣収納前側壁
７      表面一枚式カード収納体
８      ベース生地
９      カード収納一枚式前後仕切り壁
９１    カード収納及び隙間兼用切込み部
９２    後側仕切り壁
９２１  後側仕切り壁上部
９２２  後側仕切り壁おとし込み部
９２３  後側仕切り壁おとし込み上部
９３    前側仕切り壁
９３１  前側仕切り壁上部
９３２  前側仕切り壁おとし込み部
９３３  前側仕切り壁おとし込み上部
１０    カード収納部形成後側壁
【図１】
2006000671.tif 000003
【図２】
2006000671.tif 000004
【図３】
2006000671.tif 000005